(57)【特許請求の範囲】
【請求項１】
支持台（１１０）と、
前記支持台（１１０）の上面左右両側に長手方向を垂直方向として平行に配置されて固定される１対の支持フレーム（２００）と、
前記支持フレーム（２００）の間で、前記支持フレーム（２００）の長手方向に沿って昇降動されるように前記支持フレーム（２００）にスライディング結合されるブラケット（３００）と、
前記ブラケット（３００）に上下方向に回転自在に結合され、上端には、ディスプレイＴが装着されるメインリンク（４００）と、
前記ブラケット（３００）及び前記メインリンク（４００）を、前記支持フレーム（２００）に沿って昇降動させる昇降手段（７００）と、
前面には、前記メインリンク（４００）が突出してスライディングされる長孔（１０１）が形成され、下端は、前記支持台（１１０）に固定されるハウジング（１００）と、を具備し、
前記昇降手段（７００）は、前記支持フレーム（２００）には、上下方向に一定間隔で離隔されるように、複数個の係止孔（２０２）が形成され、
両端が、１対の前記支持フレーム（２００）の間をわたる方向に配置され、前記ブラケット（３００）に装着される主動軸（７１０）と、
前記ブラケット（３００）に装着され、前記主動軸（７１０）を回転させる第１モータ（７２０）と、
前記主動軸（７１０）の両側端に結合され、鋸歯（７３１）が、前記係止孔（２０２）に挿入されるスプロケット（７３０）と、を含み、
前記第１モータ（７２０）の回転により、前記スプロケット（７３０）が回転すれば、前記鋸歯（７３１）が、前記係止孔（２０２）に噛み合いながら、前記ブラケット（３００）が上下方向に昇降動を行うことを特徴とする、スプロケットを利用したディスプレイ位置調節装置。
【請求項２】
前記支持フレーム（２００）は、断面において後方に開放された開口部（２０１）が形成された「コ」字形になり、
前記ブラケット（３００）には、前方に、上下方向に離隔されるように、左右両側に装着され、前記支持フレーム（２００）前面に、外周面が接して回転する第１案内ローラ（３２０）と、後方に上下方向に離隔されるように左右両側に装着され、前記支持フレーム（２００）の後方に配置される第２案内ローラ（３３０）と、が装着され、
前記第２案内ローラ（３３０）は、前記支持フレーム（２００）の開口部（２０１）の終端に前面が接する第１ローラ部（３３１）と、前記第１ローラ部（３３１）の前面に単段に突設され、前記開口部（２０１）の内面に、外周面が接して回転する第２ローラ部（３３２）と、が一体に形成され、
前記昇降手段（７００）により、前記ブラケット（３００）の昇降動時、前記第１案内ローラ（３２０）の外周面は、前記支持フレーム（２００）の前面に接して回転し、前記第２案内ローラ（３３０）は、前記第１ローラ部（３３１）が、前記開口部（２０１）の終端に前面が接しながら、前記第２ローラ部（３３２）が、前記開口部（２０１）の内面に、外周面が接して回転しながら、前記ブラケット（３００）の遊動を防止することを特徴とする、請求項１に記載のスプロケットを利用したディスプレイ位置調節装置。
【請求項３】
前記ブラケット（３００）には、前方に突出した支持台（３１０）が形成され、前記メインリンク（４００）は、前記支持台（３１０）に第１ヒンジ（３１１）によって回転自在にヒンジ結合されてシーソー運動され、
前記ブラケット（３００）に装着され、前記メインリンク（４００）を、前記第１ヒンジ（３１１）を中心にシーソー運動させる角度調節手段（５００）と、
前記メインリンク（４００）の後端に装着され、前記ディスプレイＴの重量に対してバランスを合わせるバランシング部材（６００）と、をさらに含むことを特徴とする、請求項１に記載のスプロケットを利用したディスプレイ位置調節装置。
【請求項４】
前記角度調節手段（５００）は、
扇形状に形成され、前記メインリンク（４００）の後方に装着される第１ラックギア（５１０）と、
前記第１ラックギア（５１０）と噛み合うように、前記ブラケット（３００）に装着される第１ピニオンギア（５２０）と、
前記ブラケット（３００）に装着され、前記第１ピニオンギア（５２０）を回転させる第２モータ（５３０）と、を含み、
前記第２モータ（５３０）が回転すれば、前記第１ピニオンギア（５２０）及び前記第１ラックギア（５１０）により、前記メインリンク（４００）が、前記第１ヒンジ（３１１）を中心にシーソー運動し、ディスプレイＴの視聴角度を調節することを特徴とする、請求項３に記載のスプロケットを利用したディスプレイ位置調節装置。
【請求項５】
前記バランシング部材（６００）は、
上下方向に貫通されたガイド孔（６１１）が形成され、前記ブラケット（３００）の後方下部に配置される重量部材（６１０）と、
下端部が、前記支持台（１１０）に装着され、上端部は、前記ハウジング（１００）に装着され、前記ガイド孔（６１１）に挿入され、前記重量部材（６１０）を案内するガイド棒（６２０）と、
一端が、前記メインリンク（４００）の後端に装着され、他端は、前記重量部材（６１０）の上部に装着される連結ロープ（６３０）と、
前記ブラケット（３００）に装着され、前記連結ロープ（６３０）をガイドするガイドローラ（６４０）と、を含み、
前記ガイドローラ（６４０）は、前記連結ロープ（６３０）を案内し、前記角度調節手段（５００）により、前記メインリンク（４００）の角度調節による前記重量部材（６１０）の上下移動時、前記重量部材（６１０）の前後遊動を防止し、
前記ガイド棒（６２０）は、前記昇降手段（７００）により、前記重量部材（６１０）の昇降動時、前記重量部材（６１０）を上下方向に案内することを特徴とする、請求項３に記載のスプロケットを利用したディスプレイ位置調節装置。
【請求項６】
前記ハウジング（１００）の左右両側には、スピーカＳが位置する設置孔（１２１）が形成され、
前記スピーカＳを、前記ハウジング（１００）内部に進入させたり、外部に突出させたりするスピーカ露出手段（８００、９００）をさらに含むことを特徴とする、請求項１から５のいずれか１項に記載のスプロケットを利用したディスプレイ位置調節装置。
【請求項７】
前記スピーカ露出手段（８００）は、
前記設置孔（１２１）を介して、前記ハウジング（１００）の内側及び外側に出入りし、前記スピーカＳが装着されてガイド溝（８２０）が形成され、第２ラックギア（８４０）が設けられたスライディング部材（８１０）と、
前記ハウジング（１００）に固定され、前記ガイド溝（８２０）にスライディングされるガイド突起（８３０）と、前記第２ラックギア（８４０）と噛み合う第２ピニオンギア（８５０）とが設けられた固定プレート（８９０）と、
前記固定プレート（８９０）に装着され、前記第２ピニオンギア（８５０）を回転させる第３モータ（８６０）と、を具備し、
前記第３モータ（８６０）の駆動により、前記第２ピニオンギア（８５０）が、前記第２ラックギア（８４０）を連動させ、前記スピーカＳが装着されたスライディング部材（８１０）が、前記設置孔（１２１）を介して、前記ハウジング（１００）の内側及び外側に出没することを特徴とする、請求項６に記載のスプロケットを利用したディスプレイ位置調節装置。
【請求項８】
前記スライディング部材（８１０）は、
前記ハウジング（１００）方向に開放され、前記第２ラックギア（８４０）及び前記ガイド溝（８２０）が設けられるガイド設置溝（８１１）と、
前記ガイド設置溝（８１１）の側面に形成されてスピーカＳが設けられるスピーカ設置溝（８１２）と、
前記スライディング部材（８１０）の上面及び下面に装着され、前記ガイド設置溝（８１１）と、前記スピーカ設置溝（８１２）の上面及び下面とを塞ぐ覆い（８１３）と、からなり、
前記スライディング部材（８１０）が、前記ハウジング（１００）の外部に突出したとき、前記スライディング部材（８１０）の前面、背面、側面及び前記覆い（８１３）により、前記設置孔（１２１）が閉鎖され、
前記スライディング部材（８１０）が、前記ハウジング（１００）の内部に進入したとき、前記スライディング部材（８１０）の側面が、前記設置孔（１２１）を閉鎖させることを特徴とする、請求項７に記載のスプロケットを利用したディスプレイ位置調節装置。
【請求項９】
前記スピーカ設置溝（８１２）には、前記スピーカＳが上下方向にスライディング結合されることを特徴とする、請求項８に記載のスプロケットを利用したディスプレイ位置調節装置。
【請求項１０】
前記スピーカ露出手段（９００）は、
前記ハウジング（１００）にヒンジ結合され、前記設置孔（１２１）を開閉させ、前記スピーカＳが装着される回転部材（９１０）と、
前記回転部材（９１０）のヒンジ結合部に装着される従動ギア（９２０）と、
前記従動ギア（９２０）に噛み合うように、前記ハウジング（１００）に装着される主動ギア（９３０）と、
前記ハウジング（１００）に装着され、前記主動ギア（９３０）を回転させる第４モータ（９４０）と、を具備し、
前記第４モータ（９４０）の駆動により、前記回転部材（９１０）が回転し、前記回転部材（９１０）に装着された前記スピーカＳが、前記設置孔（１２１）を介して、前記ハウジング（１００）内部に進入したり外部に突出したりすることを特徴とする、請求項６に記載のスプロケットを利用したディスプレイ位置調節装置。
【請求項１１】
前記回転部材（９１０）は、
スピーカＳが設けられるスピーカ設置溝（９１３）が形成され、前記スピーカＳが、前記ハウジング（１００）内部に進入するとき、前記設置孔（１２１）を閉鎖させる第１塞ぎ板（９１１）と、
前記スピーカＳが、前記ハウジング（１００）外部に突出するとき、前記設置孔（１２１）を閉鎖させる第２塞ぎ板（９１２）と、
前記第１塞ぎ板（９１１）と前記第２塞ぎ板（９１２）とが接する境界部分において垂直方向の上面及び下面に形成され、前記ハウジング（１００）の前記設置孔（１２１）の後方上面及び後方下面にヒンジ結合されるヒンジ軸（９１４）と、によってなり、
前記ヒンジ軸（９１４）を中心に前記回転部材（９１０）が回転し、前記スピーカＳが、前記設置孔（１２１）を介して、前記ハウジング（１００）内部に進入したとき、前記第１塞ぎ板（９１１）が、前記設置孔（１２１）を閉鎖させ、前記スピーカＳが、前記設置孔（１２１）を介して、前記ハウジング（１００）外部に突出したとき、前記第２塞ぎ板（９１２）が、前記設置孔（１２１）を閉鎖させることを特徴とする、請求項１０に記載のスプロケットを利用したディスプレイ位置調節装置。
【請求項１２】
前記スピーカ設置溝（９１３）には、スピーカＳが上下方向にスライディング結合され、
前記スピーカ設置溝（９１３）の上面及び下面に、スピーカＳの離脱が防止されるように、覆い（９１５）が固定されたことを特徴とする、請求項１１に記載のスプロケットを利用したディスプレイ位置調節装置。
【請求項１３】
ディスプレイＴのオン（ｏｎ）、オフ（ｏｆｆ）を感知するセンサ部と、
前記センサ部の信号により、前記第３モータ（８６０）を制御する制御部と、をさらに含み、
前記制御部は、前記センサ部の信号によって、ディスプレイＴの電源がついたとき、前記第３モータ（８６０）を制御し、スピーカＳを、前記ハウジング（１００）の外部に突出させ、前記センサ部の信号によって、ディスプレイＴの電源が消えたとき、前記第３モータ（８６０）を制御し、スピーカＳをハウジング（１００）の内部に進入させることを特徴とする、請求項７に記載のスプロケットを利用したディスプレイ位置調節装置。
【請求項１４】
前記支持フレーム（２００）は、断面において後方に開放された開口部（２０１）が形成された「コ」字形になり、前記係止孔（２０２）は、前面に形成され、
前記スプロケット（７３０）は、前記支持フレーム（２００）の後方に配置され、前記開口部（２０１）を介して、前記係止孔（２０２）に噛み合うことを特徴とする、請求項１に記載のスプロケットを利用したディスプレイ位置調節装置。
【発明の詳細な説明】
【技術分野】
【０００１】
本発明は、スプロケットを利用したディスプレイ位置調節装置に係り、特に、ディスプレイを搭載した状態での昇降動時、スプロケットを利用して、さらに円滑に昇降動がなされるようにした、スプロケットを利用したディスプレイ位置調節装置に関する。
【背景技術】
【０００２】
ＴＶ（television）視聴は、人々にとって、主要娯楽行為であり、かつ情報源のうち一つである一方に、固定された位置において、長期間ＴＶを視聴すれば、身体に無理が係り、肩甲上腕骨の関節周囲炎、腰痛、脊髄症及び座骨神経痛のような疾病を誘発させることにもなる。
【０００３】
かような問題を解決するために、人々が豊富であって多彩なＴＶ番組を楽に楽しむことができるように努力してきた。
【０００４】
それにより、最近では、人々は、ＴＶセットを最適の視角内に位置させるために、横になっていたり座っている自身の位置での視野角により、ＴＶセットの高さ及び視角を、遠隔調整または手動調整することにより、楽にＴＶを視聴することができ、前述のような疾病を有した人及び病院の寝床患者も利用して治療することができる要件を満足するディスプレイ位置調節装置を要求している。
【０００５】
本発明者は、韓国特許登録第１０−０５２１３５９号に開示され、図３２ないし図３５に図示されているように、前述のような要求事項を満足する「ＴＶ受像機位置制御装置」を特許登録している。
【０００６】
それは、視聴者が、視聴姿勢により、ＴＶ受像機を視聴者の目の高さに合うように、所望高さに移動させることができ、また角度を調節し、適当な角度で視聴することができるようにしたことであり、壁面１に、上下方向に長く設けられるフレーム１０と、該フレーム１０に沿って上下方向に移動可能に支持され、ＴＶ受像機２００が固定される移動ブロック２０と、該移動ブロック２０を、前記フレーム１０に対して昇降させる昇降手段と、前記移動ブロック２０に対して、ＴＶ受像機２００の角度を調整する角度調整手段と、を具備する。
【０００７】
前記昇降手段は、前記フレーム１０に、上下方向に長く回転自在に支持され、前記移動ブロック２０が螺合されるスクリュー軸１１と、前記スクリュー軸１１と平行に、前記フレーム１０に支持され、前記移動ブロック２０がスライディング自在に結合されるガイド棒１２，１３と、前記スクリュー軸１１を回転駆動させる駆動モータと、を具備してなる構造を有する。
【０００８】
前記角度調整手段は、前記ＴＶ受像機２００の背面下側部と、それと対応する前記移動ブロック２０の下側部は、相互ヒンジ片２０１，２１の結合によって回転自在に連結され、前記移動ブロック２０の上側部において、回転モータ５００によって回転駆動され、端部に垂直突部３１が形成された回転中心体３０と、一端が、前記垂直突部３１の端部と回転自在に結合されたリンク部材３２と、一端が、前記リンク部材３２の他端に回転自在に連結され、該他端が前記ＴＶ受像機２００の上側部に固定されたレバー部材３３と、を具備してなる構造を有する。
【０００９】
前述のような装置は、スクリュー駆動モータ及び回転モータ５００の正逆駆動により、ＴＶ受像機２００の視聴者の目の高さに合うように、所望高さに移動させることができ、また角度を調節し、適切な角度で視聴することができるように、遠隔制御によって制御することができるようにする。
【００１０】
ところで、前述のような装置は、スクリュー１１が外部に露出された構造であり、ＴＶ受像機２００による静電気によってスクリュー１１に塗布されたグリースなどのオイルに対して、ほこりなどの異物による汚染が速い速度で進み、昇降作動が円滑ではなく、掃除周期を短縮させるという問題点がある。
【発明の概要】
【発明が解決しようとする課題】
【００１１】
本発明は、前述のような問題点を解決するために創出されたものであり、支持フレームに、上下方向に、複数個の係止孔を形成し、該係止孔にスプロケットの鋸歯が噛み合うようにブラケットに固定し、スプロケットの回転により、スプロケットが支持フレームに乗って移動しながら、ブラケットを昇降動させ、さらに円滑に昇降動を可能にし、ほこりなどによる細かい故障を減らすことができる、スプロケットを利用したディスプレイ位置調節装置を提供するところにその目的がある。
【課題を解決するための手段】
【００１２】
本発明は、前述のような問題点を解決するために創出されたものであり、支持台；前記支持台の上面左右両側から垂直方向に平行に配置される１対の支持フレーム；前記支持フレームの間で、前記支持フレームに沿って昇降動されるようにスライディング結合されるブラケット；前記ブラケットに上下方向に回転自在に結合され、上端には、ディスプレイが装着されるメインリンク；前記ブラケット及び前記メインリンクを、前記支持フレームに沿って昇降動させる昇降手段；及び前方には、前記メインリンクが突出してスライディングする長孔が形成され、下端が前記支持台に固定されるハウジング；を含むが、前記支持フレームには、上下方向に一定間隔で離隔されるように複数個の係止孔が形成され、前記昇降手段は、両端が１対の前記支持フレーム方向に配置されるように、前記ブラケットに装着される主動軸；前記ブラケットに装着され、前記主動軸を回転させる第１モータ；及び前記主動軸の両側端に結合され、鋸歯が、前記係止孔に挿入されるスプロケット；を含むが、前記第１モータの回転により、前記スプロケットが回転すれば、前記鋸歯が、前記係止孔に噛み合いながら、前記ブラケットが上下方向に昇降動を行うことを特徴とする。
【００１３】
また、前記支持フレームは、断面において後方に開放された開口部が形成された「コ」字形になり、前記ブラケットには、前方に、上下方向に離隔されるように、左右両側に装着され、前記支持フレームの前面に外周面が接して回転する第１案内ローラ；及び後方に上下方向に離隔されるように左右両側に装着され、前記支持フレームの後方に配置される第２案内ローラ；が装着されるが、前記第２案内ローラは、前記支持フレームの開口部の終端に前面が接する第１ローラ部；及び前記第１ローラ部の前面に単段に突設され、前記開口部の内面に、外周面が接して回転する第２ローラ部；が一体に形成され、前記昇降手段により、前記ブラケットの昇降動時、前記第１案内ローラの外周面は、前記支持フレームの前面に接して回転し、前記第２案内ローラは、前記第１ローラ部が、前記開口部の終端に前面が接しながら、前記第２ローラ部が、前記開口部の内面に、外周面が接して回転しながら、前記ブラケットの遊動を防止することを特徴とする。
【００１４】
また、前記ブラケットには、前方に突出された支持台が形成され、前記メインリンクは、前記支持台に、第１ヒンジにより、回転自在にヒンジ結合されてシーソー運動するが、前記ブラケットに装着され、前記メインリンクを、前記第１ヒンジを中心にシーソー運動させる角度調節手段；及び前記メインリンクの後端に装着され、前記ディスプレイの重量に対してバランスを合わせるバランシング部材；をさらに含むことを特徴とする。
また、前記角度調節手段は、扇形状に形成され、前記メインリンクの後方に装着される第１ラックギア；前記第１ラックギアと噛み合うように、前記ブラケットに装着される第１ピニオンギア；及び前記ブラケットに装着され、前記第１ピニオンギアを回転させる第２モータ；を含むが、前記第２モータが回転すれば、前記第１ピニオンギア及び前記第１ラックギアにより、前記メインリンクが、前記第１ヒンジを中心にシーソー運動し、ディスプレイの視聴角度を調節することを特徴とする。
【００１５】
また、前記バランシング部材は、上下方向に貫通されたガイド孔が形成され、前記ブラケットの後方下部に配置される重量部材；下端部は、前記支持台に装着され、上端部は、前記ハウジングに装着され、前記ガイド孔に挿入され、前記重量部材を案内するガイド棒；一端は、前記メインリンクの後端に装着され、他端は、前記重量部材の上部に装着される連結ロープ；及び前記ブラケットに装着され、前記連結ロープをガイドするガイドローラ；を含むが、前記ガイドローラは、前記連結ロープを案内し、前記角度調節手段により、前記メインリンクの角度調節による前記重量部材の上下移動時、前記重量部材の前後遊動を防止し、前記ガイド棒は、前記昇降手段により、前記重量部材の昇降動時、前記重量部材を上下方向に案内することを特徴とする。
【００１６】
また、前記ハウジングの左右両側には、スピーカが位置する設置孔が形成され、前記スピーカを、前記ハウジング内部に進入させたり、外部に突出させたりするスピーカ露出手段をさらに含むことを特徴とする。
【００１７】
また、該スピーカ露出手段は、前記設置孔を介して、前記ハウジングの内側及び外側に出入りし、前記スピーカが装着されてガイド溝が形成され、第２ラックギアが設けられたスライディング部材；前記ハウジングに固定され、前記ガイド溝にスライディングされるガイド突起と、前記第２ラックギアと噛み合う第２ピニオンギアとが設けられた固定プレート；及び前記固定プレートに装着され、前記第２ピニオンギアを回転させる第３モータ；を具備し、前記第３モータの駆動により、前記第２ピニオンギアが前記第２ラックギアを連動させ、前記スピーカが装着されたスライディング部材が前記設置孔を介して、前記ハウジングの内側及び外側に出没することを特徴とする。
【００１８】
また、前記スライディング部材は、前記ハウジング方向に開放され、前記第２ラックギア及び前記ガイド溝が設けられるガイド設置溝；前記ガイド設置溝の側面に形成され、スピーカが設けられるスピーカ設置溝；及び前記スライディング部材の上面及び下面に装着され、前記ガイド設置溝と前記スピーカ設置溝との上面及び下面を塞ぐ覆い；からなるが、前記スライディング部材が、前記ハウジングの外部に突出したとき、前記スライディング部材の前面、背面、側面及び前記覆いによって前記設置孔が閉鎖され、前記スライディング部材が、前記ハウジングの内部に進入したとき、前記スライディング部材の側面が、前記設置孔を閉鎖させることを特徴とする。
【００１９】
また、前記スピーカ設置溝には、前記スピーカが、上下方向にスライディング結合されることを特徴とする。
【００２０】
また、前記スピーカ露出手段は、前記ハウジングにヒンジ結合され、前記設置孔を開閉させ、前記スピーカが装着される回転部材；前記回転部材のヒンジ結合部に装着される従動ギア；前記従動ギアに噛み合うように、前記ハウジングに装着される主動ギア；及び前記ハウジングに装着され、前記主動ギアを回転させる第４モータ；を具備し、前記第４モータの駆動によって前記回転部材が回転し、前記回転部材に装着された前記スピーカが前記設置孔を介して、前記ハウジング内部に進入したり外部に突出したりすることを特徴とする。
【００２１】
また、前記回転部材は、スピーカが設けられるスピーカ設置溝が形成され、前記スピーカが前記ハウジング内部に進入するとき、前記設置孔を閉鎖させる第１塞ぎ板；前記スピーカが前記ハウジング外部に突出するとき、前記設置孔を閉鎖させる第２塞ぎ板；及び前記第１塞ぎ板と前記第２塞ぎ板とが接する上面及び下面に形成され、前記ハウジングの前記設置孔の後方上面及び後方下面にヒンジ結合されるヒンジ軸；によってなるが、前記ヒンジ軸を中心に前記回転部材が回転し、前記スピーカが前記設置孔を介して、前記ハウジング内部に進入したとき、前記第１塞ぎ板が前記設置孔を閉鎖させ、前記スピーカが前記設置孔を介して、前記ハウジング外部に突出したとき、前記第２塞ぎ板が前記設置孔を閉鎖させることを特徴とする。
【００２２】
また、前記スピーカ設置溝には、スピーカが、上下方向にスライディング結合され、前記スピーカ設置溝の上面及び下面に、スピーカ離脱が防止されるように、覆いが固定されたことを特徴とする。
【００２３】
また、ディスプレイのオン（on）、オフ（off）を感知するセンサ部；及び前記センサ部の信号により、前記第３モータまたは第４モータを制御する制御部；をさらに含むが、前記制御部は、前記センサ部の信号によってディスプレイの電源がついたとき、前記第３モータまたは第４モータを制御し、スピーカを前記ハウジングの外部に露出させ、前記センサ部の信号によってディスプレイの電源が消えたとき、前記第３モータまたは第４モータを制御し、スピーカをハウジングの内部に進入させることを特徴とする。
また、前記支持フレームは、断面において後方に開放された開口部が形成された「コ」字形になり、前記係止孔は、前面に形成され、前記スプロケットは、前記支持フレームの後方に配置され、前記開口部を介して、前記係止孔に噛み合うことを特徴とする。
【発明の効果】
【００２４】
前述のような本発明のスプロケットを利用したディスプレイ位置調節装置によれば、次のような効果がある。
第１に、前記昇降手段が、前記主動軸、前記主動スプロケット、前記従動スプロケット、前記チェーン及び前記第１モータによってなることにより、前記第１モータの回転により、前記チェーンが回転しながら、前記ブラケット及び前記メインリンクを、前記支持フレームに沿って昇降動させる効果がある。
また、前記スプロケットの回転により、前記ブラケットを、前記支持フレームに乗って昇降動させることにより、円滑な昇降動が可能になり、ほこりなどがたまっても、細かい故障などが発生することを最小化する効果がある。
【００２５】
第２に、前記第２案内ローラが、前記第１ローラ部と前記第２ローラ部とが一体に形成されることにより、前記昇降手段により、前記ブラケットが前記支持フレームに沿ってスライディングされて昇降動するとき、前記ブラケットが、前記第１案内ローラと前記第１ローラ部とにより、前後方向に遊動することを防止し、前記第２ローラ部により、左右方向に遊動することを防止する効果がある。
【００２６】
第３に、前記角度調節手段が、前記第１ラックギア、前記第１ピニオンギア及び前記第２モータを含むことにより、前記第２モータを回転させ、前記ディスプレイの視聴角度を簡便に調節することができる効果がある。
【００２７】
第４に、前記バランシング部材を装着し、ディスプレイの重さにより、前方に重心が偏らないように均衡を取ることにより、安定して前記角度調節手段によって角度を調節するだけではなく、ディスプレイの荷重によって前方に倒れることを防止する効果がある。
【００２８】
第５に、前記連結ロープを案内するガイドローラを装着することにより、前記メインリンクのシーソー運動による前記重量部材の前後移動を防止し、重量部材と異なる構成要素間の衝突及び干渉を防止して前後幅を狭めることができ、また、重量部材が、前記ガイド棒に沿って昇降動が円滑になされるようにする効果がある。
また、前記ガイド棒を装着することにより、前記昇降手段により、前記重量部材の昇降動時、前記重量部材が前後左右に遊動せず、上下方向に昇降動が円滑になされるようにする効果がある。
【００２９】
第６に、前記スピーカ露出手段によって、選択的にスピーカを、前記ハウジングの内部に進入させたり、外部に突出させたりすることにより、使用時には、突出させ、使用しない場合には、前記ハウジングの内部に進入させることができる効果がある。
【００３０】
第７に、前記スピーカ設置溝に、スピーカが上下方向にスライディング結合されることにより、前記スライディング部材に結合されたスピーカが、任意に前方に離脱することを防止しながら、簡便にスピーカを設けることができる効果がある。
【００３１】
第８に、前記スライディング部材が、前記設置孔を塞ぐことにより、前記設置孔を介して、ほこりなどが前記ハウジングの内部に流入することを防止する効果がある。
【００３２】
第９に、前記スピーカ露出手段が、前記スライディング部材、前記ガイド溝、前記ガイド突起、第２ラックギア、第２ピニオンギア、第３モータによってなることにより、スピーカを使用する場合には、前記ハウジングの外部に突出させて音を聞くことができるようにし、使用しない場合には、前記ハウジングの内部に進入させ、外部に露出させない効果がある。
【００３３】
第１０に、前記制御部により、ディスプレイの電源状態によって、スピーカを、前記ハウジングの外部に突出させたり、内部に進入させたりすることにより、自動的になさせる効果がある。
【００３４】
第１１に、前記第１塞ぎ板と前記第２塞ぎ板とが、スピーカが前記ハウジングの外部または内部に位置することに係わりなく、前記設置孔を塞ぐことにより、ほこりなどが前記設置孔を介して、前記ハウジングの内部に流入することを防止する効果がある。
【００３５】
第１２に、前記スピーカ露出手段が、前記回転部材、従動ギア、主動ギア、第４モータによってなることにより、スピーカを使用する場合には、前記回転部材を回転させ、前記ハウジングの外部に突出させて音を聞くことができるようにし、使用しない場合には、前記回転部材を反対方向に回転させ、前記ハウジングの内部に進入させ、外部に露出させない効果がある。
【００３６】
第１３に、前記スプロケットが前記支持フレームの後方に配置され、前記鋸歯が、前記開口部を介して、前記支持フレームの前面に形成された前記係止孔に噛み合うことにより、前記スプロケットの大きさによる全体的な幅を狭めることができる効果がある。
【図面の簡単な説明】
【００３７】
【図１】本発明の一実施形態による構成を示した斜視図である。
【図２】本発明の一実施形態によるハウジングを除いた構成を示した一側斜視図である。
【図３】本発明の一実施形態によるハウジングを除いた構成を示した他側斜視図である。
【図４】本発明の一実施形態による昇降手段及びブラケットを示した一側斜視図である。
【図５】本発明の一実施形態による昇降手段及びブラケットを示した他側斜視図である。
【図６】本発明の一実施形態によるブラケットの構成を示した平断面図である。
【図７】本発明の一実施形態によるブラケット、メインリンク、角度調節手段及びバランシング部材の構成を示した一側斜視図及び他側斜視図である。
【図８】本発明の一実施形態によるブラケット、メインリンク、角度調節手段及びバランシング部材の構成を示した一側斜視図及び他側斜視図である。
【図９】本発明の一実施形態によるブラケット、メインリンク、角度調節手段及びバランシング部材の構成を示した側面図である。
【図１０】本発明の一実施形態による、第１方法によってスピーカ露出手段によって、スライディング部材が突出した様子を示した斜視図である。
【図１１】本発明の一実施形態による、第１方法によってスピーカ露出手段によって、スライディング部材が進入した様子を示した斜視図である。
【図１２】本発明の一実施形態による、第１方法によるスピーカ露出手段による構成を示した斜視図である。
【図１３】本発明の一実施形態による、第１方法によるスピーカ露出手段の構成を示した分解斜視図である。
【図１４】本発明の一実施形態による、第１方法によるスピーカ露出手段の構成を示した分解斜視図である。
【図１５】本発明の一実施形態による、第１方法によるスピーカ露出手段の作動過程を示した平断面図である。
【図１６】本発明の一実施形態による、第２方法によってスピーカ露出手段によって、回転部材が突出した様子を示した斜視図である。
【図１７】本発明の一実施形態による、第２方法によってスピーカ露出手段によって、回転部材が進入した様子を示した斜視図である。
【図１８】本発明の一実施形態による、第２方法によるスピーカ露出手段の構成を示した斜視図である。
【図１９】本発明の一実施形態による、第２方法によるスピーカ露出手段の構成を示した分解斜視図である。
【図２０】本発明の一実施形態による、第２方法によるスピーカ露出手段の作動過程を示した平断面図である。
【図２１】本発明の一実施形態による、第３方法によってスピーカ露出手段によって、スライディング部材が突出した様子を示した斜視図である。
【図２２】本発明の一実施形態による、第３方法によってスピーカ露出手段によって、スライディング部材が進入した様子を示した斜視図である。
【図２３】本発明の一実施形態による、第３方法によるスピーカ露出手段による構成を示した斜視図である。
【図２４】本発明の一実施形態による、第３方法によるスピーカ露出手段の構成を示した分解斜視図である。
【図２５】本発明の一実施形態による、第３方法によるスピーカ露出手段の構成を示した分解斜視図である。
【図２６】本発明の一実施形態による、第３方法によるスピーカ露出手段の作動過程を示した平断面図である。
【図２７】本発明の一実施形態による、第４方法によってスピーカ露出手段によって、回転部材が突出した様子を示した斜視図である。
【図２８】本発明の一実施形態による、第４方法によってスピーカ露出手段によって、回転部材が進入した様子を示した斜視図である。
【図２９】本発明の一実施形態による、第４方法によるスピーカ露出手段の構成を示した斜視図である。
【図３０】本発明の一実施形態による、第４方法によるスピーカ露出手段の構成を示した分解斜視図である。
【図３１】本発明の一実施形態による、第４方法によるスピーカ露出手段の作動過程を示した平断面図である。
【図３２】従来のディスプレイ昇降装置を示した概念図である。
【図３３】図３２の主要駆動部を示した斜視図である。
【図３４】角度調整状態について説明する作動図である。
【図３５】角度調整状態について説明する作動図である。
【発明を実施するための形態】
【００３８】
一実施形態による本発明のスプロケットを利用したディスプレイ位置調節装置は、スプロケットの回転により、ブラケットが支持フレームに乗って昇降動するようにし、さらに円滑に昇降動を可能にし、ほこりなどによる細かい故障を減らすことができる。
図１ないし図３１に図示されているように、本発明の一実施形態によるスプロケットを利用したディスプレイ位置調節装置は、支持台１１０、支持フレーム２００、ブラケット３００、メインリンク４００、角度調節手段５００、バランシング部材６００、昇降手段７００、ハウジング１００、遮蔽手段（図示せず）及びスピーカ露出手段８００，９００，８０，９０を含む。
【００３９】
前記支持台１１０は、図１に図示されているように、底面に支持され、本発明を地面などに立てるようにする役割を行う。
本実施形態には、前記支持台１１０を、前記ハウジング１００の下部に配置し、地面などに支持されるようにするが、それとは異なり、前記支持台１１０を、前記ハウジング１００の背面に装着し、壁面などに装着されるようにすることもできる。
かような前記支持台１１０は、図１に図示されているように、後述する前記ハウジング１００の下端と結合される。
【００４０】
それに係わる詳細な説明は、後述する。
前記支持フレーム２００は、前記支持台１１０の上面左右両側から垂直方向に平行に１対が配置される。
【００４１】
すなわち、前記支持フレーム２００は、図２ないし図５に図示されているように、一定間隔で離隔され、前記支持台１１０の上面に垂直方向に配置される。
かような前記支持フレーム２００には、後述するように、前記昇降手段７００が結合され、前記ブラケット３００が昇降動を行うように支持する。
【００４２】
それにより、前記支持フレーム２００は、図６に図示されているように、断面において後方に開放された開口部２０１が形成された「コ」字形になる。
そして、前記支持フレーム２００の前面には、上下方向に、一定間隔で離隔されるように、複数個の係止孔２０２が形成される。
【００４３】
かような前記係止孔２０２は、後述するように、前記昇降手段７００が結合され、前記ブラケット３００を上昇動させる。
前記支持フレーム２００の形状、及び前記係止孔２０２に係わる詳細な説明は、後述する。
【００４４】
前記ブラケット３００は、前記支持フレーム２００の間で、前記支持フレーム２００に沿って昇降動されるようにスライディング結合される。
かような前記ブラケット３００には、支持台３１０、第１案内ローラ３２０及び第２案内ローラ３３０が装着される。
【００４５】
前記支持台３１０は、図２、図７及び図９に図示されているように、前記メインリンク４００が、第１ヒンジ３１１によって、シーソー運動されるように結合される。
前記第１案内ローラ３２０は、図２、図４、図６に図示されているように、前記ブラケット３００の前方に、上下方向に離隔されるように、左右両側に装着される。
かような前記第１案内ローラ３２０は、前記支持フレーム２００の前面に、外周面が接して回転しながら、前記ブラケット３００が、前記支持フレーム２００に沿ってスライディング移動するとき、後方に遊動することを防止し、スライディングが良好になされるようにする。
【００４６】
このとき、前記第１案内ローラ３２０は、前記支持フレーム２００の前面に形成された前記係止孔２０２と互いに接しないように配置することが望ましい。
【００４７】
前記第２案内ローラ３３０は、前記ブラケット３００の後方に上下方向に離隔されるように左右両側に装着され、前記支持フレーム２００の後方に配置される。
すなわち、前記第１案内ローラ３２０と前記第２案内ローラ３３０は、前記支持フレーム２００の前面及び背面を支持するように設けられ、前記ブラケット３００が、前記支持フレーム２００に沿って、上下方向に昇降動が良好になされるようにする。
このとき、前記第２案内ローラ３３０は、図６に図示されているように、第１ローラ部３３１、第２ローラ部３３２が一体に形成される。
前記第１ローラ部３３１は、前記支持フレーム２００の前記開口部２０１の終端に前面が接する。
【００４８】
かような前記第１ローラ部３３１は、前記第１案内ローラ３２０と共に、前記ブラケット３００が昇降動するとき、前記支持フレーム２００の前面及び背面に接し、前記ブラケット３００が前方及び後方に遊動することを防止する。
そして、前記第２ローラ部３３２は、図６に図示されているように、前記第１ローラ部３３１の前面に単段に突設され、前記開口部２０１の内面に、外周面が接して回転する。
すなわち、前記昇降手段７００により、前記ブラケット３００の昇降動時、前記第１案内ローラ３２０の外周面は、前記支持フレーム２００の前面に接して回転し、前記第２案内ローラ３３０は、前記第１ローラ部３３１が、前記開口部２０１の終端に前面が接しながら、前記第２ローラ部３３２が、前記開口部２０１の内面に、外周面が接して回転する。
このように、前記第２案内ローラ３３０が、前記第１ローラ部３３１及び前記第２ローラ部３３２が一体に形成されることにより、前記昇降手段７００により、前記ブラケット３００が、前記支持フレーム２００に沿ってスライディングされて昇降動するとき、前記ブラケット３００が、前記第１案内ローラ３２０及び前記第１ローラ部３３１により、前後方向に遊動することを防止し、前記第２ローラ部３３２により、左右方向に遊動することを防止する。
【００４９】
前記メインリンク４００は、前記ブラケット３００に結合され、図１に図示されているように、上端には、ディスプレイＴが装着される。
かような前記メインリンク４００は、図７及び図９に図示されているように、前記ブラケット３００の前記支持台３１０に、前記第１ヒンジ３１１により、回転自在にヒンジ結合され、シーソー運動を行う。
かような前記メインリンク４００は、後述する前記角度調節手段５００と前記バランシング部材６００とにより、ディスプレイＴの視聴角度を調節することになる。
前記角度調節手段５００は、図７ないし図９に図示されているように、前記ブラケット３００に装着され、前記メインリンク４００を、前記第１ヒンジ３１１を中心にシーソー運動させる。
【００５０】
かような前記角度調節手段５００は、第１ラックギア５１０、第１ピニオンギア５２０及び第２モータ５３０を含む。
【００５１】
前記第１ラックギア５１０は、図８及び図９に図示されているように、扇形状に形成され、前記メインリンク４００の後方に装着される。
そして、前記第１ピニオンギア５２０は、図８及び図９に図示されているように、前記第１ラックギア５１０と噛み合うように、前記ブラケット３００に装着される。
そして、前記第２モータ５３０は、前記ブラケット３００に装着され、前記第１ピニオンギア５２０を回転させる。
【００５２】
かような前記第２モータ５３０が回転すれば、前記第１ピニオンギア５２０及び前記第１ラックギア５１０により、前記メインリンク４００が、前記第１ヒンジ３１１を中心にシーソー運動しながら、前記メインリンク４００の上端に装着されたディスプレイＴの視聴角度を調節することになる。
【００５３】
このように、前記角度調節手段５００が、前記第１ラックギア５１０、前記第１ピニオンギア５２０及び前記第２モータ５３０を含むことにより、前記第２モータ５３０を回転させ、前記ディスプレイＴの視聴角度を簡便に調節することができる。
本実施形態と異なり、前記角度調節手段５００は、公知の他の技術を介してディスプレイＴの視聴角度を調節するようにしてもよい。
【００５４】
前記バランシング部材６００は、前記メインリンク４００の後端に装着され、前記ディスプレイＴの重量に対してバランスを合わせて均衡を取る。
すなわち、前記バランシング部材６００は、前記メインリンク４００の上端に装着されたディスプレイＴの重さにより、前記メインリンク４００が、前記第１ヒンジ３１１を中心に前方に偏りながら、荷重が前方に偏心されないように均衡を取る。
このように、前記バランシング部材６００を装着し、ディスプレイＴの重さによって前方に重心が偏らないように均衡を取ることにより、安定して前記角度調節手段５００によって角度を調節するだけではなく、ディスプレイＴの荷重によって前方に倒れることを防止することができる。
【００５５】
かような前記バランシング部材６００は、図７ないし図９に図示されているように、重量部材６１０、ガイド棒６２０、連結ロープ６３０及びガイドローラ６４０を含む。
前記重量部材６１０は、上下方向に貫通されたガイド孔６１１が形成され、図７ないし図９に図示されているように、前記ブラケット３００の後方下部に配置される。
かような前記重量部材６１０は、ディスプレイＴ重量に対応する重さによってなる。
そして、前記ガイド孔６１１は、後述する前記ガイド棒６２０が挿入され、前記重量部材６１０が、前記昇降手段７００によって昇降動を行うとき、前記重量部材６１０を案内する。
【００５６】
前記ガイド棒６２０は、図３に図示されているように、下端部は、前記支持台１１０に装着され、上端部は、前記ハウジング１００に装着される。
かような前記ガイド棒６２０は、前記ガイド孔６１１を介して、前記重量部材６１０が挿入され、前記昇降手段７００により、前記ブラケット３００の昇降動時、前記重量部材６１０の昇降動を案内する。
【００５７】
そして、前記連結ロープ６３０は、図７ないし図９に図示されているように、一端が、前記メインリンク４００の後端に装着され、他端は、前記重量部材６１０の上部に装着される。
【００５８】
すなわち、前記連結ロープ６３０は、前記重量部材６１０と、前記メインリンク４００の後端とを連結する役割を行う。
【００５９】
また、前記連結ロープ６３０は、前述のように、前記角度調節手段５００により、前記メインリンク４００のシーソー運動時、前記メインリンク４００の後端が前後方向に移動しても、前記重量部材６１０を前後方向に移動させない。
また、前記重量部材６１０を、前記ブラケット３００の下部に配置させ、全体的な体積を減少させる。
【００６０】
すなわち、前記重量部材６１０を、前記メインリンク４００の後端に直接結合すれば、前後方向に幅が増大するが、図３に図示されているように、前記重量部材６１０を、前記ブラケット３００の後端下部に配置するように、前記連結ロープ６３０で連結し、前後方向の幅を低減させることができる。
【００６１】
前記ガイドローラ６４０は、図７ないし図９に図示されているように、前記ブラケット３００に装着され、前記連結ロープ６３０をガイドする。
すなわち、前記ガイドローラ６４０は、前記連結ロープ６３０を案内し、前記角度調節手段５００により、前記メインリンク４００の角度調節による前記重量部材６１０の上下移動時、前記重量部材６１０の前後遊動を防止する。
【００６２】
さらに詳細には、前記ガイドローラ６４０は、前記メインリンク４００が水平に位置するとき、及び前記メインリンク４００のシーソー運動により、前方に下向き傾斜するように位置するとき、前記重量部材６１０が上下方向及び前後方向に移動することになるが、そのとき、前記ガイドローラ６４０が、前記連結ロープ６３０をガイドし、前記重量部材６１０が上下方向に移動はするものの、前後方向に移動することを防止する。
このように、前記連結ロープ６３０を案内するガイドローラ６４０を装着することにより、前記メインリンク４００のシーソー運動による前記重量部材６１０の前後移動を防止し、重量部材６１０と異なる構成要素間の衝突及び干渉を防止し、前後幅を狭めることができ、また、重量部材６１０が、前記ガイド棒６２０に沿って昇降動が円滑になされるようにする。
【００６３】
そして、前記ガイド棒６２０を装着することにより、前記昇降手段７００により、前記重量部材６１０の昇降動時、前記重量部材６１０が前後左右に遊動せず、上下方向に昇降動が円滑になされるようにする。
【００６４】
前記昇降手段７００は、前記ブラケット３００及び前記メインリンク４００を、前記支持フレーム２００に沿って昇降動させる。
かような前記昇降手段７００は、主動軸７１０、第１モータ７２０、スプロケット７３０によってなる。
【００６５】
前記主動軸７１０は、図３ないし図５に図示されているように、両端が、１対の前記支持フレーム２００方向に配置されるように、前記ブラケット３００に装着される。
すなわち、前記主動軸７１０は、前記両端が垂直に配置された１対の前記支持フレーム３００に位置するように、前記ブラケット３００に装着される。
そして、前記第１モータ７２０は、前記ブラケット３００に装着され、前記主動軸７１０を回転させる。
【００６６】
そして、前記スプロケット７３０は、前記主動軸７１０の両端に装着され、鋸歯７３１が、前記係止孔２０１に挿入される。
【００６７】
かような前記スプロケット７３０は、前記第１モータ７２０によって回転しながら、前記鋸歯７３１が、前記係止孔２０１に噛み合いながら、上下方向にスライディング移動し、それにより、前記ブラケット３００が昇降移動する。
【００６８】
このように、前記スプロケット７３０が、前記第１モータ７２０によって回転しながら、前記鋸歯７３１が、前記係止孔２０２に乗って移動し、前記ブラケット３００を昇降移動させることにより、前記スプロケット７３０によって昇降動がさらに円滑になされながら、ほこりなどのような異物がたまっても、移動が円滑になされる。
【００６９】
このとき、前記スプロケット７３０は、図４及び図５に図示されているように、前記支持フレーム２００の後方に配置され、前記開口部２０１を介して、前記鋸歯７３１が、前記係止孔２０２に噛み合うようになる。
【００７０】
すなわち、前記スプロケット７３０が断面において「コ」字形になる前記支持フレーム２００の前記開口部２０１に挿入され、前記支持フレーム２００の前面に形成された前記係止孔２０２に噛み合うようになる。
【００７１】
このように、前記スプロケット７３０が、前記支持フレーム２００の後方に配置され、前記鋸歯７３１が、前記開口部２０１を介して、前記支持フレーム２００の前面に形成された前記係止孔２０２に噛み合うことにより、前記スプロケット７３０の大きさによる幅を狭めることができる。
【００７２】
前記ハウジング１００は、前方に図１に図示されているように、前記メインリンク４００が突出してスライディングされる長孔１０１が形成され、下端が、前記支持台１１０に固定される。
【００７３】
本実施形態では、前記ハウジング１００を構成要素を覆い包む本体板１２０と、前記本体板１２０の前方に装着され、前記長孔１０１が形成された前面板１３０と、上部を塞ぐ覆板１４０と、によってなる。
【００７４】
本実施形態には異なり、前記ハウジング１００を一体で形成することもでき、必要によっては、前記本体板１２０を、側板及び背面板で分離して相互結合されるようにすることもできる。
【００７５】
かような前記ハウジング１００は、内部に配置される構成要素に、ほこりなどが流入することを防止する。
【００７６】
そして、かような前記ハウジング１００の左右両側には、設置孔１２１が形成され、スピーカＳが結合された前記スピーカ露出手段８００，９００，８０，９０が結合される。
それに係わる詳細な説明は、後述する。
【００７７】
そして、前記前面板には、前記遮蔽手段が、前記長孔１０１に装着され、前記長孔１０１を塞ぐ。
【００７８】
すなわち、前記遮蔽手段は、前記長孔１０１に突出した前記メインリンク４００を除いた部分を塞ぎ、前記長孔１０１を介して、前記ハウジング１００内部にほこりなどが流入することを防ぐ。
【００７９】
前記スピーカ露出手段８００，９００，８０，９０は、スピーカＳを、前記ハウジング１００の内部に進入させたり外部に突出させたりする。
すなわち、前記スピーカ露出手段８００，９００，８０，９０は、ディスプレイＴの使用時には、スピーカＳを、前記ハウジング１００の設置孔１２１から突出させ、使用しない場合には、前記ハウジング１００の内部に進入させる。
かような前記スピーカ露出手段８００，９００，８０，９０は、４種の実施形態によってなる。
【００８０】
第１に、前記スピーカ露出手段８００は、図１０ないし図１５に図示されているように、スライディング部材８１０、ガイド溝８２０、ガイド突起８３０、第２ラックギア８４０、第２ピニオンギア８５０、第３モータ８６０、センサ部及び制御部を含む。
【００８１】
前記スピーカＳが設置されたスライディング部材８１０は、図１０に図示されているように、前記ハウジング１００の前記設置孔１２１を介して、前記ハウジング１００の内外側にスライディングされる。
【００８２】
かような前記スライディング部材８１０は、図１３ないし図１５に図示されているように、ガイド設置溝８１１、スピーカ設置溝８１２及び覆い８１３を含む。
前記ガイド設置溝８１１は、前記ハウジング１００方向に開放され、後述する前記第２ラックギア８４０及び前記ガイド溝８２０または前記ガイド突起８３０が装着される。
前記スピーカ設置溝８１２は、前記ガイド設置溝８１１の側面に形成され、スピーカＳが設けられる。
【００８３】
すなわち、前記スピーカ設置溝８１２は、スピーカＳが前方を、すなわち、視聴者に向かうように、前記ガイド溝８２０の側面に形成される。
このように、前記ガイド設置溝８１１に、前記第２ラックギア８４０及び前記ガイド溝８２０または前記ガイド突起８３０が設けられ、前記スピーカ設置溝８１２に、スピーカＳが設けられることにより、前記スライディング部材８１０の外部に、前記ラックギア、前記ガイド溝８２０または前記ガイド突起８３０、及びスピーカＳが外部に露出しないようにし、ほこりなどによる汚染を防止する。
【００８４】
かような前記スピーカ設置溝８１２には、スピーカＳが、上下方向にスライディング結合される。
【００８５】
そして、前記スピーカ設置溝８１２の前面には、図１３ないし図１５に図示されているように、保護板８１２ａを設け、スピーカＳを保護するようにすることもでき、必要によっては、前記保護膜を設けないこともある。
【００８６】
このように、前記スピーカ設置溝８１２に、スピーカＳが上下方向にスライディング結合されることにより、前記スライディング部材８１０に結合されたスピーカＳが、任意に前方に離脱することを防止しながら、簡便にスピーカＳを設けることができる。
前記覆い８１３は、前記スライディング部材８１０の上面及び下面に装着され、前記ガイド設置溝８１１と、前記スピーカ設置溝８１２の上面及び下面と、を塞ぐ。
【００８７】
すなわち、前記覆い８１３は、前記ガイド設置溝８１１と、前記スピーカ設置溝８１２によって開放された前記スライディング部材８１０の上面及び下面と、を塞ぎ、ほこりなどが流入することを防止し、スライディング結合されたスピーカＳが下部に抜けることを防止する。
【００８８】
このように形成された前記スライディング部材８１０は、図１０及び図１５（ａ）に図示されているように、前記ハウジング１００の外部に突出したとき、前記スライディング部材８１０の前面、背面、側面及び前記覆い８１３により、前記設置孔１２１を塞ぎ、図１１及び図１５（ｂ）に図示されているように、前記ハウジング１００の内部に進入したとき、前記スライディング部材８１０の側面が、前記設置孔１２１を塞ぐようになる。
このように、前記スライディング部材８１０が、前記設置孔１２１を塞ぐことにより、前記設置孔１２１を介して、ほこりなどが、前記ハウジング１００の内部に流入することを防止する。
【００８９】
かような前記スライディング部材８１０は、本実施形態と異なり、多様な形状で形成することもできる。
【００９０】
前記ガイド溝８２０は、前記スライディング部材８１０に形成される。
さらに詳細には、前記ガイド溝８２０は、図１２ないし図１４に図示されているように、前記スライディング部材８１０の前記ガイド設置溝８１１に形成される。
【００９１】
そして、前記ガイド突起８３０は、前記ガイド溝８２０に結合され、前記ガイド溝８２０に沿ってスライディングされるように、前記ハウジング１００に形成される。
それとは異なり、前記ガイド溝８２０と前記ガイド突起８３０とが、相互反対になるように形成することもできる。
【００９２】
前記第２ラックギア８４０は、前記スライディング部材８１０において、前記ハウジング１００方向に装着される。
【００９３】
すなわち、前記第２ラックギア８４０は、図１２ないし図１５に図示されているように、前記スライディング部材８１０の前記ガイド設置溝８１１から、前記ハウジング１００方向に装着される。
【００９４】
そして、前記第２ピニオンギア８５０は、前記ハウジング１００に固定された固定プレート８９０に設けられ、前記第２ラックギア８４０と噛み合う。
そして、前記第３モータ８６０は、前記固定プレート８９０に装着され、前記第２ピニオンギア８５０を回転させる。
【００９５】
かような前記第３モータ８６０が回転すれば、図１５に図示されているように、前記第２ピニオンギア８５０が回転しながら、前記第２ラックギア８４０を移動させ、前記スライディング部材８１０が、前記ガイド溝８２０と前記ガイド突起８３０とにガイドされてスライディングされながら、前記設置溝を介して、前記ハウジング１００の内部に進入したり外部に突出したりする。
【００９６】
このように、前記スピーカ露出手段８００が、前記スライディング部材８１０、前記ガイド溝８２０、前記ガイド突起８３０、第２ラックギア８４０、第２ピニオンギア８５０、第３モータ８６０によってなることにより、スピーカＳを使用する場合には、前記ハウジング１００の外部に突出させて音を聞くことができるようにし、使用しない場合には、前記ハウジング１００の内部に進入させ、外部に露出させない。
【００９７】
前記センサ部は、ディスプレイＴのオン（on）、オフ（off）を感知する。
そして、前記制御部（図示せず）は、前記センサ部の信号により、前記第３モータ８６０を制御する。
【００９８】
かような前記制御部（図示せず）は、前記センサ部の信号によって、ディスプレイＴの電源がついたとき、前記第３モータ８６０を制御し、スピーカＳを、前記ハウジング１００の外部に突出させ、前記センサ部の信号によってディスプレイＴの電源が消えたとき、前記第３モータ８６０を制御し、スピーカＳを、前記ハウジング１００の内部に進入させる。
【００９９】
このように、前記制御部により、ディスプレイＴの電源状態によってスピーカＳを、前記ハウジング１００の外部に突出させたり、内部に進入させたりすることにより、自動的に行われる。
【０１００】
そして、必要によっては、図１２に図示されているように、前記スライディング部材８１０の位置を感知する位置感知センサ８１４を装着し、スピーカＳが、前記ハウジング１００の内部への進入位置と、前記ハウジング１００の外部への突出位置とを感知するようにする。
【０１０１】
第２に、前記スピーカ露出手段９００は、図１６ないし図２０に図示されているように、回転部材９１０、従動ギア９２０、主動ギア９３０、第４モータ９４０、センサ部及び制御部を含む。
【０１０２】
前記回転部材９１０は、前記ハウジング１００にヒンジ結合され、前記設置孔１２１を開閉させてスピーカＳが装着される。
かような前記回転部材９１０は、回転によって、スピーカＳを、図１６及び図１７に図示されているように、前記ハウジング１００の外部に突出させたり、前記ハウジング１００の内部に進入させたりする。
【０１０３】
かような前記回転部材９１０は、図１８ないし図２０に図示されているように、第１塞ぎ板９１１、第２塞ぎ板９１２、スピーカ設置溝９１３及びヒンジ軸９１４を含む。
前記第１塞ぎ板９１１は、図２０に図示されているように、前記設置孔１２１を開閉させる。
【０１０４】
さらに詳細には、前記第１塞ぎ板９１１は、図２０（ａ）に図示されているように、スピーカＳが、前記ハウジング１００の内部に進入したとき、前記設置孔１２１を閉鎖させる。
【０１０５】
前記第２塞ぎ板９１２は、スピーカＳが、前記ハウジング１００外部に突出するとき、前記設置孔１２１を閉鎖させる。
すなわち、前記第２塞ぎ板９１２は、図２０に図示されているように、前記第１塞ぎ板９１１と一定角度で離隔されて形成され、前記第１塞ぎ板９１１が、前記設置孔１２１を開放するとき、前記第２塞ぎ板９１２は、前記設置孔１２１を閉鎖させる。
【０１０６】
さらに詳細には、前記第２塞ぎ板９１２は、図２０（ｂ）に図示されているように、スピーカＳが、前記ハウジング１００の外部に突出したとき、前記設置孔１２１を塞ぐ。
このように、前記第１塞ぎ板９１１及び前記第２塞ぎ板９１２が、スピーカＳが、前記ハウジング１００の外部または内部に位置することに係わりなく、前記設置孔１２１を閉鎖することにより、ほこりなどが、前記設置孔１２１を介して、前記ハウジング１００の内部に流入することを防止する。
【０１０７】
前記スピーカ設置溝９１３は、前記第２塞ぎ板９１２が、前記設置孔１２１を閉鎖させたとき、前記第１塞ぎ板９１１に、前方に開放されるように形成され、スピーカＳが装着される。
かような前記スピーカ設置溝９１３には、スピーカＳが上下方向にスライディング結合される。
【０１０８】
そして、前記スピーカ設置溝９１３の前面には、図１６ないし図２０に図示されているように、保護板９１３ａを設け、スピーカＳを保護するようにすることもでき、必要によっては、前記保護板９１３ａを設けないこともある。
【０１０９】
このように、前記スピーカ設置溝９１３に、スピーカＳが上下方向にスライディング結合されることにより、前記回転部材９１０に結合されたスピーカＳが、任意に前方に離脱することを防止しながら、簡便にスピーカＳを設けることができる。
そして、前記スピーカ設置溝９１３の上面及び下面には、図１８及び図１９に図示されているように、挿入されたスピーカＳが外れないようにしながら、ほこりなどが流入しないように、覆い９１５で塞ぐことが望ましい。
【０１１０】
前記ヒンジ軸９１４は、図１８及び図１９に図示されているように、前記第１塞ぎ板９１１と前記第２塞ぎ板９１２とが接する上面及び下面に形成され、前記ハウジング１００の前記設置孔１２１の後方上面及び後方下面にヒンジ結合される。
かような前記ヒンジ軸９１４により、前記回転部材９１０が回転しながら、前記第１塞ぎ板９１１と前記第２塞ぎ板９１２とが、前記ハウジング１００の設置孔１２１を選択的に塞ぐ。
【０１１１】
すなわち、前記ヒンジ軸９１４を中心に、前記回転部材９１０が回転して、図２０（ａ）に図示されているように、前記スピーカ設置溝９１３が、前記設置孔１２１を介して、前記ハウジング１００の内部に進入したとき、前記第１塞ぎ板９１１が、前記設置孔１２１を閉鎖させ、図２０（ｂ）に図示されているように、前記スピーカ設置溝９１３が、前記設置孔１２１を介して、前記ハウジング１００の外部に突出したとき、前記第２塞ぎ板９１２が、前記設置孔１２１を閉鎖させる。
【０１１２】
前記従動ギア９２０は、前記回転部材９１０のヒンジ結合部に装着される。
すなわち、前記従動ギア９２０は、図１９に図示されているように、回転部材９１０の下部に形成された前記ヒンジ軸９１４に装着される。
そして、前記主動ギア９３０は、前記従動ギア９２０と噛み合うように、前記ハウジング１００に装着される。
【０１１３】
そして、前記第４モータ９４０は、前記ハウジング１００に装着され、前記主動ギア９３０を回転させる。
【０１１４】
かような前記第４モータ９４０の回転により、前記回転部材９１０が回転し、前記回転部材９１０に装着された前記スピーカＳが、前記設置孔１２１を介して、図２０に図示されているように、前記ハウジング１００の内部に進入したり外部に突出したりすることになる。
【０１１５】
このように、前記スピーカ露出手段９００が、前記回転部材９１０、従動ギア９２０、主動ギア９３０、第４モータ９４０によってなることにより、スピーカＳを使用する場合には、前記回転部材９１０を回転させ、前記ハウジング１００の外部に突出させて音を聞くことができるようにし、使用しない場合には、前記回転部材９１０を反対方向に回転させ、前記ハウジング１００の内部に進入させ、外部に露出させない。
【０１１６】
前記センサ部（図示せず）は、ディスプレイＴのオン（on）、オフ（off）を感知する。
そして、前記制御部（図示せず）は、前記センサ部の信号により、前記第４モータ９４０を制御する。
【０１１７】
かような前記制御部（図示せず）は、前記センサ部の信号によって、ディスプレイＴの電源がついたとき、前記第４モータ９４０を制御し、スピーカＳをハウジング１００の外部に突出させ、前記センサ部の信号によって、ディスプレイＴの電源が消えたとき、前記第４モータ９４０を制御し、スピーカＳをハウジング１００の内部に進入させる。
このように、前記制御部により、ディスプレイＴの電源状態によって、スピーカＳを、前記ハウジング１００の外部に突出させたり、内部に進入させたりすることにより、自動的に行われる。
【０１１８】
そして、必要によっては、図１９に図示されているように、前記回転部材９１０の位置を感知する位置感知センサ９１６を装着し、スピーカＳが、前記ハウジング１００の内部に進入したり、前記ハウジング１００の外部に突出したりしたことを知ることが望ましい。
【０１１９】
第３に、前記スピーカ露出手段８０は、図２１ないし図２６に図示されているように、スライディング部材８１、ガイド溝８２、ガイド突起８３、第６ラックギア８４、第６ピニオンギア８５、第６モータ８６、センサ部及び制御部を含む。
【０１２０】
前記スライディング部材８１は、図２１及び図２２に図示されているように、ハウジング１００方向に開放された「コ」字形状に形成され、前記ハウジング１００の前記設置孔１２１を介して、前記ハウジング１００の内外側にスライディングされる。
かような前記スライディング部材８１は、図２３ないし図２６に図示されているように、ガイド設置溝８１ａ、スピーカ設置孔８１ｂ及び覆い８１ｃを含む。
【０１２１】
前記ガイド設置溝８１ａは、前記ハウジング１００方向に開放され、後述する前記第６ラックギア８４、及び前記ガイド溝８２または前記ガイド突起８３が装着される。
前記スピーカ設置孔８１ｂは、前記スライディング部材８１の側面に形成される。
さらに詳細には、前記スピーカ設置孔８１ｂは、前記スライディング部材８１に、前記ハウジング１００の反対方向に形成される。
すなわち、前記スピーカ設置孔８１ｂは、前記ハウジング１００の側面を向くように形成される。
かような前記スピーカ設置孔８１ｂには、図２３ないし図２６に図示されているように、スピーカＳが装着される。
【０１２２】
本実施形態では、前記スピーカ設置孔８１ｂを、前記スライディング部材８１の側面に上下方向に離隔されるように二つ形成したが、本実施形態と異なり、多数個または一つだけ形成することもできる。
【０１２３】
前記覆い８１ｃは、前記スライディング部材８１の上面及び下面に装着され、前記ガイド設置溝８１ａの上面及び下面を塞ぐ。
すなわち、前記覆い８１ｃは、前記ガイド設置溝８１ａによって開放された前記スライディング部材８１の上面及び下面を塞ぎ、ほこりなどが流入することを防止する。
【０１２４】
このように形成された前記スライディング部材８１は、図２１及び図２６（ｂ）に図示されているように、前記ハウジング１００の外部に突出したとき、前記スライディング部材８１の前面、背面、側面及び前記覆い８１ｃにより、前記設置孔１２１を塞ぎ、図２２及び図２６（ａ）に図示されているように、前記ハウジング１００の内部に進入したとき、前記スライディング部材８１の側面、すなわち、前記スピーカ設置孔８１ｂが形成された側面が、前記設置孔１２１を塞ぐようになる。
【０１２５】
このように、前記スライディング部材８１が、前記設置孔１２１を塞ぐことにより、前記設置孔１２１を介して、ほこりなどが、前記ハウジング１００の内部に流入することを防止する。
【０１２６】
前記ガイド溝８２は、前記スライディング部材８１に形成される。
さらに詳細には、前記ガイド溝８２は、図２３ないし図２６に図示されているように、前記スライディング部材８１の前記ガイド設置溝８１ａに形成される。
そして、前記ガイド突起８３は、前記ガイド溝８２に結合され、前記ガイド溝８２に沿ってスライディングされるように、前記ハウジング１００の前記固定プレート８９に形成される。
【０１２７】
それとは異なり、前記ガイド溝８２と前記ガイド突起８３とが相互反対になるように形成することもできる。
前記第６ラックギア８４は、前記スライディング部材８１において、前記ハウジング１００方向に装着される。
【０１２８】
すなわち、前記第６ラックギア８４は、図２３ないし図２５に図示されているように、前記スライディング部材８１の前記ガイド設置溝８１ａにおいて、前記ハウジング１００方向に装着される。
【０１２９】
そして、前記第６ピニオンギア８５は、前記ハウジング１００に固定された前記固定プレート８９に設けられ、前記第２ラックギアと噛み合う。
そして、前記第６モータ８６は、前記固定プレート８９に装着され、前記第６ピニオンギア８５を回転させる。
【０１３０】
かような前記第６モータ８６が回転すれば、図２６に図示されているように、前記第６ピニオンギア８５が回転しながら、前記第６ラックギア８４を移動させ、前記スライディング部材８１が、前記ガイド溝８２と前記ガイド突起８３とにガイドされ、スライディングされながら、前記設置孔１２１を介して、前記ハウジング１００の内部に進入したり外部に突出したりする。
【０１３１】
このように、前記スピーカ露出手段８０が、前記スライディング部材８１、前記ガイド溝８２、前記ガイド突起８３、第６ラックギア８４、第６ピニオンギア８５、第６モータ８６によってなることにより、スピーカＳを使用する場合には、前記ハウジング１００の外部に突出させて音を聞くことができるようにし、使用しない場合には、前記ハウジング１００の側面に密着させて外部に露出させない。
【０１３２】
前記センサ部は、ディスプレイＴのオン（on）、オフ（off）を感知する。
そして、前記制御部（図示せず）は、前記センサ部の信号により、前記第６モータ８６を制御する。
【０１３３】
かような前記制御部（図示せず）は、前記センサ部の信号によって、ディスプレイＴの電源がついたとき、前記第６モータ８６を制御し、スピーカＳを、前記ハウジング１００の外部に突出させ、前記センサ部の信号によって、ディスプレイＴの電源が消えたとき、前記第６モータ８６を制御し、スピーカＳを、前記ハウジング１００の側面に密着させる。
【０１３４】
このように、前記制御部により、ディスプレイＴの電源状態によって、スピーカＳを、前記ハウジング１００の外部に突出させたり、側面に密着させることにより、自動的に行われる。
【０１３５】
そして、必要によっては、図２４及び図２５に図示されているように、前記スライディング部材８１の位置を感知する位置感知センサ８７を装着し、スピーカＳが、前記ハウジング１００の側面に密着された位置と、前記ハウジング１００の外部への突出位置とを感知するようにする。
【０１３６】
第４に、前記スピーカ露出手段９０は、図２７ないし図３１に図示されているように、回転部材９１、従動ギア９２、主動ギア９３、第７モータ９４、センサ部及び制御部を含む。
【０１３７】
前記回転部材９１は、前記ハウジング１００にヒンジ結合され、前記設置孔１２１を開閉させ、スピーカＳを、前記ハウジング１００の内部に進入させたり外部に突出させたりする。
【０１３８】
すなわち、前記回転部材９１は、回転によって、スピーカＳを、図２７及び図２８に図示されているように、前記ハウジング１００の外部に突出させたり、前記ハウジング１００の内部に進入させたりする。
【０１３９】
かような前記回転部材９１は、図２９ないし図３１に図示されているように、第１塞ぎ板９１ａ、第２塞ぎ板９１ｂ、前面板９１ｃ、スピーカ設置孔９１ｄ及びヒンジ軸９１ｅを含む。
前記第１塞ぎ板９１ａは、図３１に図示されているように、前記設置孔１２１を開閉させる。
さらに詳細には、前記第１塞ぎ板９１ａは、図３１（ａ）に図示されているように、スピーカＳが、前記ハウジング１００の内部に進入したとき、前記設置孔１２１を閉鎖させる。
【０１４０】
そして、前記第２塞ぎ板９１ｂは、スピーカＳが、前記ハウジング１００外部に突出するとき、前記設置孔１２１を閉鎖させる。
すなわち、前記第２塞ぎ板９１ｂは、図３１に図示されているように、前記第１塞ぎ板９１ａと一定角度で離隔されるように形成され、前記第１塞ぎ板９１ａが、前記設置孔１２１を開放するとき、前記第２塞ぎ板９１ｂは、前記設置孔１２１を閉鎖させる。
【０１４１】
さらに詳細には、前記第２塞ぎ板９１ｂは、図３１（ｂ）に図示されているように、スピーカＳが、前記ハウジング１００の外部に突出したとき、前記設置孔１２１を塞ぐ。
このように、前記第１塞ぎ板９１ａと前記第２塞ぎ板９１ｂとが、スピーカＳが、前記ハウジング１００の外部または内部に位置することに係わりなく、前記設置孔１２１を閉鎖することにより、ほこりなどが、前記設置孔１２１を介して、前記ハウジング１００の内部に流入することを防止する。
【０１４２】
前記前面板９１ｃは、図２７ないし図３１に図示されているように、一定角度で離隔されるように形成された前記第１塞ぎ板９１ａと前記第２塞ぎ板９１ｂとの前面に形成される。
すなわち、前記前面板９１ｃは、前記第１塞ぎ板９１ａ及び前記第２塞ぎ板９１ｂと共に、断面において、中空の三角形に形成されるように、前記第１塞ぎ板９１ａと前記第２塞ぎ板９１ｂとの前面に形成される。
【０１４３】
前記スピーカ設置孔９１ｄは、前記前面板９１ｃに形成される。
かような前記スピーカ設置孔９１ｄには、スピーカＳが装着される。
そして、前記前面板９１ｃの前面には、図２７ないし図３１図示されているように、保護板９１ｆを設け、前記スピーカ設置孔９１ｄに装着されたスピーカＳを保護するようにすることもでき、必要によっては、前記保護板９１ｆを設けないこともある。
【０１４４】
そして、前記前面板９１ｃ、前記第１塞ぎ板９１ａ及び前記第２塞ぎ板９１ｂによって形成された内部空間の上面及び下面には、図２９及び図３０に図示されているように、内部空間にほこりなどが流入しないように、覆い９１ｇで塞ぐことが望ましい。
【０１４５】
前記ヒンジ軸９１ｅは、図２９及び図３０に図示されているように、前記第１塞ぎ板９１ａと前記第２塞ぎ板９１ｂとが接する上面及び下面に形成され、前記ハウジング１００の前記設置孔１２１の後方上面及び後方下面にヒンジ結合される。
かような前記ヒンジ軸９１ｅにより、前記回転部材９１が回転しながら、前記第１塞ぎ板９１ａと前記第２塞ぎ板９１ｂとが、前記ハウジング１００の設置孔１２１を選択的に塞ぐようになる。
【０１４６】
すなわち、前記ヒンジ軸９１ｅを中心に、前記回転部材９１が回転し、図３１（ａ）に図示されているように、前記スピーカ設置孔９１ｄ形成された前記前面板９１ｃが、前記設置孔１２１を介して、前記ハウジング１００の内部に進入したとき、前記第１塞ぎ板９１ａが、前記設置孔１２１を閉鎖させ、図３１（ｂ）に図示されているように、前記スピーカ設置孔９１ｄが形成された前記前面板９１ｃが、前記設置孔１２１を介して、前記ハウジング１００の外部に突出したとき、前記第２塞ぎ板９１ｂが、前記設置孔１２１を閉鎖させる。
【０１４７】
前記従動ギア９２は、前記回転部材９１のヒンジ結合部に装着される。
すなわち、前記従動ギア９２は、図３０に図示されているように、回転部材９１の下部に形成された前記ヒンジ軸９１ｅに装着される。
そして、前記主動ギア９３は、前記従動ギア９２と噛み合うように、前記ハウジング１００に装着される。
【０１４８】
そして、前記第７モータ９４は、前記ハウジング１００に装着され、前記主動ギア９３を回転させる。
かような前記第７モータ９４の回転により、前記回転部材９１が回転し、前記回転部材９１に装着された前記スピーカＳが、前記設置孔１２１を介して、図３１に図示されているように、前記ハウジング１００の内部に進入したり外部に突出したりすることになる。
前記センサ部（図示せず）は、ディスプレイＴのオン（on）、オフ（off）を感知する。
そして、前記制御部（図示せず）は、前記センサ部の信号により、前記第７モータ９４を制御する。
【０１４９】
かような前記制御部（図示せず）は、前記センサ部の信号によって、ディスプレイＴの電源がついたとき、前記第７モータ９４を制御し、スピーカＳをハウジング１００の外部に突出させ、前記センサ部の信号によって、ディスプレイＴの電源が消えたとき、前記第７モータ９４を制御し、スピーカＳをハウジング１００の内部に進入させる。
このように、前記制御部により、ディスプレイＴの電源状態によって、スピーカＳを、前記ハウジング１００の外部に突出させたり、内部に進入させたりすることにより、自動的に行われる。
【０１５０】
そして、必要によっては、図３０に図示されているように、前記回転部材９１の位置を感知する位置感知センサ９５を装着し、スピーカＳが、前記ハウジング１００の内部に進入したり、前記ハウジング１００の外部に突出したりすることを知ることが望ましい。
本発明のスプロケットを利用したディスプレイ位置調節装置は、前述の実施形態に限られるものではなく、本発明の技術思想が許容される範囲内において、多様に変形して実施することができる。
【産業上の利用可能性】
【０１５１】
本発明は、ディスプレイを搭載した状態での昇降動時、スプロケットを利用して、さらに円滑に昇降動がなされるようにする。
【図１】
0006605135.tif 000002
【図２】
0006605135.tif 000003
【図３】
0006605135.tif 000004
【図４】
0006605135.tif 000005
【図５】
0006605135.tif 000006
【図６】
0006605135.tif 000007
【図７】
0006605135.tif 000008
【図８】
0006605135.tif 000009
【図９】
0006605135.tif 000010
【図１０】
0006605135.tif 000011
【図１１】
0006605135.tif 000012
【図１２】
0006605135.tif 000013
【図１３】
0006605135.tif 000014
【図１４】
0006605135.tif 000015
【図１５（ａ）】
0006605135.tif 000016
【図１５（ｂ）】
0006605135.tif 000017
【図１６】
0006605135.tif 000018
【図１７】
0006605135.tif 000019
【図１８】
0006605135.tif 000020
【図１９】
0006605135.tif 000021
【図２０（ａ）】
0006605135.tif 000022
【図２０（ｂ）】
0006605135.tif 000023
【図２１】
0006605135.tif 000024
【図２２】
0006605135.tif 000025
【図２３】
0006605135.tif 000026
【図２４】
0006605135.tif 000027
【図２５】
0006605135.tif 000028
【図２６（ａ）】
0006605135.tif 000029
【図２６（ｂ）】
0006605135.tif 000030
【図２７】
0006605135.tif 000031
【図２８】
0006605135.tif 000032
【図２９】
0006605135.tif 000033
【図３０】
0006605135.tif 000034
【図３１（ａ）】
0006605135.tif 000035
【図３１（ｂ）】
0006605135.tif 000036
【図３２】
0006605135.tif 000037
【図３３】
0006605135.tif 000038
【図３４】
0006605135.tif 000039
【図３５】
0006605135.tif 000040